【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
コアレッシングフィルタ組立体であって、
前記コアレッシングフィルタ組立体は：
ハウジングであって、前記ハウジングは、１つに接合されてコアレッシングチャンバを形成する、基部ハウジング部材及びカバーハウジング部材を備え、前記基部ハウジング部材は、基部端部パネルと、前記端部パネルから突出する基部境界壁とを備え、前記カバーハウジング部材は、カバー端部パネルと、前記カバー端部パネルから突出するカバー境界壁とを備え、前記カバー端部パネル及び前記基部端部パネルは横方向に離間し、前記カバー端部パネルと前記基部端部パネルとの間に前記コアレッシングチャンバが存在し、前記カバー境界壁及び前記基部境界壁は、シール界面に沿って接合されて、前記コアレッシングチャンバを取り囲み、前記カバー端部パネル及び前記基部端部パネルは、前記シール界面に対して、垂直方向において少なくとも５°の角度を成して延在する、ハウジング；並びに
コアレッシングフィルタ要素であって、前記コアレッシングフィルタ要素は、濾過された側から濾過されていない側を分離するパーティションを有するフレームを備え、前記パーティションはコアレッシング流入ポートを有し、前記コアレッシング流入ポートは、濾過されていない側と濾過された側とを接続し、前記コアレッシング流入ポートを通って流れる流体を濾過するよう配設されたコアレッシングフィルタ媒体を備える、コアレッシングフィルタ要素
を備え、
前記パーティションはパネル部材を含み、前記パネル部材は外周面に、前記シール界面に沿って密閉するシール部材を備え、従ってパ前記パーティションは傾斜した先細境界スカートを有さない、コアレッシングフィルタ組立体。
【請求項２】
前記コアレッシングフィルタ要素は前記コアレッシングフィルタ媒体を提供するコアレッシングチューブを含み、前記コアレッシングチューブは概ね円筒形である、請求項１に記載のコアレッシングフィルタ組立体。
【請求項３】
前記コアレッシングチューブの開放端部内に突出するプラグを更に備える、請求項２に記載のコアレッシングフィルタ組立体。
【請求項４】
前記プラグは、前記コアレッシングチューブの平坦な端面を最大でも部分的に覆う部分を有し、
前記平坦な端面は、流体が前記コアレッシングチューブの前記端面を通過できるように、少なくとも部分的に露出しており、
前記プラグは、第１の直径から第２の直径まで前記プラグの直径を遷移するフレア状外側リムを含み、ここで前記第２の直径は前記第１の直径より大きいため、前記プラグの前記フレア状外側リムは前記コアレッシングチューブの中空円筒形キャビティと接触する、請求項３に記載のコアレッシングフィルタ組立体。
【請求項５】
前記コアレッシングチューブを提供するために複数のコアレッシングチューブセグメントを更に備え、各前記コアレッシングチューブセグメントは別個に前記フレームに固定される、請求項２に記載のコアレッシングフィルタ組立体。
【請求項６】
前記フレームは前記パネル部材から突出するチューブ状容器を含み、前記チューブ状容器は、前記コアレッシングチューブセグメントのうちの１つの外側円筒形表面に接触し、接着剤が前記コアレッシングチューブセグメントを前記チューブ状容器に接着するフレア領域を画定する、請求項５に記載のコアレッシングフィルタ組立体。
【請求項７】
隣接する前記チューブ状容器を相互に接続するリブネットワークを更に備える、請求項５に記載のコアレッシングフィルタ組立体。
【請求項８】
前記コアレッシングチューブセグメントはそれぞれチューブセグメントフィルタ軸を取り囲み、
前記チューブセグメントフィルタ軸は、前記パネル部材の平面に対して９５°〜１２０°の角度で配置される、請求項５に記載のコアレッシングフィルタ組立体。
【請求項９】
先細チャネルを更に備え、前記先細チャネルは、流入ポートが貫通して配置される端壁に接合された前記パネルに埋め込まれ、前記コアレッシングチューブは、前記端壁を通して前記コアレッシング流入ポートと流体連通し、前記先細チャネルが前記コアレッシングチューブを受承する、請求項２に記載のコアレッシングフィルタ組立体。
【請求項１０】
前記パネル部材はフィルタ軸に対して平行であり、前記先細チャネルはフィルタ媒体軸に沿って延在し、前記フィルタ媒体軸は、前記フィルタ軸から５°〜３０°角度的にオフセットされる、請求項９に記載のコアレッシングフィルタ組立体。
【請求項１１】
前記コアレッシング流入ポートと前記コアレッシングチューブとの間に配置される開放状態の端部部材を更に備え、前記端部部材は前記コアレッシングチューブに対してヒートステークされる、請求項１０に記載のコアレッシングフィルタ組立体。
【請求項１２】
前記パーティションは、前記パーティションを貫通して形成される少なくとも１つのコアレッッシングフィルタ媒体容器を含み、前記コアレッシング流入ポートは前記少なくとも１つのコアレッシングフィルタ媒体によって画定され、前記コアレッシングフィルタ媒体は、前記少なくとも１つのコアレッシングフィルタ媒体容器内に配置される、請求項１から１１のいずれか一項に記載のコアレッシングフィルタ要素。
【請求項１３】
前記少なくとも１つのコアレッシングフィルタ媒体容器は軸方向端部を含み、前記軸方向端部は前記濾過された側に配置され、容器軸を画定する、請求項１２に記載のコアレッシングフィルタ要素。
【請求項１４】
前記容器軸は、前記フィルタ軸から５°〜３０°角度的にオフセットされる、請求項１３に記載のコアレッシングフィルタ要素。
【請求項１５】
前記コアレッシングフィルタ媒体はチューブ状コアレッシングフィルタ媒体であり、コアレッシングフィルタ媒体軸と軸方向に整列し、前記コアレッシングフィルタ媒体軸は、前記容器軸に対して垂直であり前記フィルタ軸から角度的にオフセットされる、請求項１４に記載のコアレッシングフィルタ要素。
【請求項１６】
前記コアレッシングフィルタ媒体軸は、前記フィルタ軸から９５°〜１２０°角度的にオフセットされる、請求項１５に記載のコアレッシングフィルタ要素。
【請求項１７】
コアレッシングフィルタ要素であって、
前記コアレッシングフィルタ要素は：
濾過された側から濾過されていない側を分離するパーティションを有するフレームであって、前記パーティションは、前記濾過されていない側と前記濾過された側とを接続する、コアレッシング流入ポートを有する、フレーム；
前記コアレッシング流入ポートを通って流れる流体を濾過するよう配設されたコアレッシングフィルタ媒体を備える、少なくとも１つのコアレッシングチューブ
を備え、
前記パーティションはパネル部材を含み、前記パネル部材は外周面にシール部材を備え、先細チャネルが形成されて前記パネル部材に埋め込まれ、前記先細チャネルは前記パネル部材から外側に突出する端壁に接合され、前記コアレッシング流入ポートは前記端壁を貫通して形成され、前記少なくとも１つのコアレッシングチューブは、前記端壁を通して前記コアレッシング流入ポートと流体連通し、前記先細チャネルが前記コアレッシングチューブを受承する流入ポート、コアレッシングフィルタ要素。
【請求項１８】
前記少なくとも１つのコアレッシングチューブは、円筒形外周面及び円筒形内周面を有する円筒形であり、前記円筒形内周面は中空円筒形キャビティを画定する、請求項１７に記載のコアレッシングフィルタ要素。
【請求項１９】
前記コアレッシング流入ポートと前記少なくとも１つのコアレッシングチューブとの間に配置される開放状態の端部部材を更に備え、前記端部部材は前記コアレッシングチューブに対してヒートステークされる、請求項１８に記載のコアレッシングフィルタ要素。
【請求項２０】
前記端部部材と前記コアレッシング流入ポートとの間に配置されたＯリングを更に備え、前記Ｏリングは前記端部部材と前記コアレッシング流入ポートとの間に気密シールを形成し、これにより、前記コアレッシング流入ポートに入る全ての流体が前記開放状態の端部部材を通って前記コアレッシングフィルタ媒体に移動する、請求項１９に記載のコアレッシングフィルタ要素。
【請求項２１】
前記コアレッシング流入ポートは、前記コアレッシング流入ポートから軸方向に延在する複数の可撓性フィンガを含み、前記複数の可撓性フィンガはそれぞれ斜面を含み、前記斜面は前記開放状態の端部部材の軸方向端部と嵌合する段付き合わせ面において終端する斜面を含む、請求項１９に記載のコアレッシングフィルタ要素。
【請求項２２】
前記開放状態の端部部材とは反対側に位置する前記少なくとも１つのコアレッシングチューブの端部に配置されたプラグを更に備える、請求項１９に記載のコアレッシングフィルタ要素。
【請求項２３】
前記プラグは、第１の直径から第２の直径まで前記プラグの直径を遷移するフレア状外側リムを含み、ここで前記第２の直径は前記第１の直径より大きいため、前記プラグの前記フレア状外側リムが前記少なくとも１つのコアレッシングチューブの前記中空円筒形キャビティと共にシールを形成する、請求項２２に記載のコアレッシングフィルタ要素。
【請求項２４】
前記プラグに近接して配置されたブラケットを更に備え、前記ブラケットは前記パーティションに摺動可能に取り付けられ、前記フレームの前記濾過された側にある前記プラグに近接しており、前記ブラケットは前記プラグに対して当接関係にあり、これにより、前記プラグは軸方向位置を前記少なくとも１つのコアレッシングチューブの前記中空円筒形キャビティ内に維持する、請求項２３に記載のコアレッシングフィルタ要素。
【請求項２５】
前記プラグはキャビティを含み、前記ブラケットは突出部を含み、前記突出部は前記キャビティ内に挿入される、請求項２４に記載のコアレッシングフィルタ要素。
【請求項２６】
前記プラグは、前記少なくとも１つのコアレッシングチューブの前記中空円筒形キャビティ内に配置されるプラグ内径部分を含み、また前記プラグは、前記少なくとも１つのコアレッシングチューブの外部に配置されたプラグ外径部分を含み、これにより、周方向フランジが形成されて前記コアレッシングフィルタ媒体に当接する、請求項２２に記載のコアレッシングフィルタ要素。
【請求項２７】
前記パーティションはフィルタ軸に沿って整列され、前記少なくとも１つのコアレッシングチューブはフィルタ媒体軸に沿って整列され、
前記フィルタ媒体軸は、前記フィルタ軸から５°〜３０°角度的にオフセットされる、
請求項１７から２６のいずれか一項に記載のコアレッシングフィルタ要素。
【請求項２８】
コアレッシングフィルタ組立体であって、
前記コアレッシングフィルタ組立体は：
ハウジングであって、前記ハウジングは、１つに接合されてコアレッシングチャンバを形成する、基部ハウジング部材及びカバーハウジング部材を備え、前記基部ハウジング部材は、基部端部パネルと、前記基部端部パネルから突出する基部境界壁とを備え、前記カバーハウジング部材は、カバー端部パネルと、前記カバー端部パネルから突出するカバー境界壁とを備え、前記カバー端部パネル及び前記基部端部パネルは横方向に離間し、前記カバー端部パネルと前記基部端部パネルとの間に前記コアレッシングチャンバが存在し、前記カバー境界壁及び前記基部境界壁は、シール界面に沿って接合され、ここで前記基部ハウジング部材は流入口及び流出口を備え、留置流路がコアレッシングフィルタ要素のコアレッシング媒体を通って前記流入口から前記流出口へと走っており、前記基部ハウジング部材は更に、前記ハウジングの重力方向底部に配設されたドレーンを含む、ハウジング；
コアレッシングチャンバ内に取り付けられたコアレッシングフィルタ要素であって、前記コアレッシングフィルタ要素は、濾過された側から濾過されていない側を分離するパーティションを有するフレーム、前記パーティションを貫通して形成されたコアレッシング流入ポート；及びコアレッシングフィルタ媒体と、対向端面間に延在する中心キャビティとを備えるコアレッシングチューブを備え、中心流れ軸は、前記コアレッシング流入ポート及び前記中心キャビティを通って前記コアレッシングチューブ内へと延伸し、前記コアレッシングフィルタ媒体が前記中心流れ軸を取り囲み、前記中心流れ軸は、垂直線から３０°以下の差を有して略垂直に延在し、これにより前記対向端面のうちの１つは前記ドレーンに隣接する、コアレッシングフィルタ要素；並びに
前記ハウジングを前記パーティションが取り囲む関係のまま前記フレームを密閉する、シール部材
を備える、コアレッシングフィルタ組立体。
【請求項２９】
前記コアレッシング流入ポートと前記コアレッシングフィルタ媒体との間に配置される開放状態の端部部材を更に備え、前記端部部材は前記コアレッシングフィルタ媒体に対してヒートステークされる、請求項２８に記載のコアレッシングフィルタ組立体。
【請求項３０】
前記開放状態の端部部材と前記コアレッシング流入ポートとの間に配置され、前記開放状態の端部部材と前記コアレッシング流入ポートとの間に気密シールを形成するよう構成された、Ｏリングを更に備える、請求項２９に記載のコアレッシングフィルタ組立体。
【請求項３１】
前記基部ハウジング部材の前記ドレーンに近接した前記コアレッシングチューブの端面に配置されたプラグを更に備える、請求項２８から３０のいずれか一項に記載のコアレッシングフィルタ組立体。
【請求項３２】
前記プラグは、濾過されていない流体が前記コアレッシングフィルタ媒体の前記中心キャビティの開放端部から出るのを防止するよう構成される、請求項３１に記載のコアレッシングフィルタ組立体。
【請求項３３】
前記プラグは、第１の直径から第２の直径まで前記プラグの直径を遷移するフレア状外側リムを含み、ここで前記第２の直径は前記第１の直径より大きいため、前記プラグの前記フレア状外側リムは前記少なくとも１つのコアレッシングチューブの前記中空円筒形キャビティと共にシールを形成する、請求項３２に記載のコアレッシングフィルタ組立体。
【請求項３４】
コアレッシングフィルタ要素であって、
前記コアレッシングフィルタ要素は：
濾過された側から濾過されていない側を分離するパーティションを有するフレームであって、前記パーティションは、コアレッシング流入ポートを有し、前記コアレッシング流入ポートは前記濾過されていない側と前記濾過された側とを接続し、前記コアレッシング流入ポートを通って流れる流体を濾過するよう配設されたチューブ状コアレッシングフィルタ媒体を備える、フレーム
を備え、
前記パーティションはパネル部材を含み、
前記チューブ状コアレッシングフィルタ媒体は対向端面を備え、前記対向端面の間にはチューブ状リングが延在してコアレッシングチューブを提供し、前記対向端面のうちの少なくとも１つは、流体が前記対向端面のうちの少なくとも１つを通って流れることがきるよう、部分的に露出している、コアレッシングフィルタ要素。
【請求項３５】
前記コアレッシングチューブの開放端部内に突出するプラグを更に備える、請求項３４に記載のコアレッシングフィルタ組立体。
【請求項３６】
前記プラグは、前記コアレッシングチューブの平坦な端面を部分的に覆う部分と、前記コアレッシングチューブ内に軸方向に延伸する突出部分とを有する、請求項３５に記載のコアレッシングフィルタ組立体。
【請求項３７】
前記プラグは、第１の直径から第２の直径まで前記プラグの直径を遷移するフレア状外側リムを含み、ここで前記第２の直径は前記第１の直径より大きいため、前記プラグの前記フレア状外側リムは前記コアレッシングチューブの中空円筒形キャビティと接触する、請求項３６に記載のコアレッシングフィルタ組立体。
【請求項３８】
前記コアレッシングチューブを提供するために複数のコアレッシングチューブセグメントを更に備え、各前記コアレッシングチューブセグメントは別個に前記フレームに固定される、請求項３４から３７のいずれか一項に記載のコアレッシングフィルタ組立体。
【請求項３９】
前記フレームは前記パネル部材から突出するチューブ状容器を含み、前記チューブ状容器は、前記コアレッシングチューブセグメントの外側円筒形表面に接触し、接着剤が前記コアレッシングチューブセグメントを前記チューブ状容器に接着するフレア領域を画定する、請求項３８に記載のコアレッシングフィルタ組立体。
【請求項４０】
隣接する前記チューブ状容器を相互に接続するリブネットワークを更に備える、請求項３９に記載のコアレッシングフィルタ組立体。
【請求項４１】
前記コアレッシングチューブセグメントはそれぞれチューブセグメントフィルタ軸を取り囲み、前記チューブセグメントフィルタ軸は、前記パネル部材の平面に対して９５°〜１２０°の角度で配置される、請求項４０に記載のコアレッシングフィルタ組立体。